(57)【特許請求の範囲】
【請求項１】
戸パネル（１）の一側の上下が、ピボットヒンジ（４・５）で軸支されており、
下側のピボットヒンジ（５）は、戸パネル（１）の下端隅部に設けられるピボット軸（２７）と、床側に設けられてピボット軸（２７）を軸支するピボット軸受（２８）とを備えており、
ピボット軸受（２８）は、扁平なケース（３２）と、ケース（３２）内に配置されてピボット軸（２７）を軸支する軸受プレート（３３）と、調整用の第１・第２ボルト（３４・３５）と、ケース（３２）内に配置されて第１ボルト（３４）にねじ込まれる第１ボルト（３４）用の雌ねじ体（６０）と、ケース（３２）内に配置されて第２ボルト（３５）にねじ込まれる第２ボルト（３５）用の雌ねじ体（６１）とを含み、
ケース（３２）の上壁（４２）には、第１ボルト（３４）の左右移動を許す第１調整穴（４６）と、第２ボルト（３５）の前後移動を許す第２調整穴（４７）と、ピボット軸（２７）の前後・左右方向の移動を許す調整開口（４８）とが設けられており、
軸受プレート（３３）には、ピボット軸（２７）を軸支する軸受部（５４）と、第２ボルト（３５）との動作干渉を避ける左右方向の逃げ溝（５５）と、第１ボルト（３４）が挿通される揺動穴（５６）とが設けられており、
第１ボルト（３４）用の雌ねじ体（６０）は、板面中央にねじ穴（６４）が形成されたバーリング部を備える板ナットからなり、ケース（３２）内に組み付けた状態において、バーリング部が軸受プレート（３３）の揺動穴（５６）に嵌まり込んでおり、
第２ボルト（３５）用の雌ねじ体（６１）は、板面中央にねじ穴（６５）が形成されたバーリング部を備えるとともに、ビス（６３）との接当干渉を避けるための切欠（６６）を備える板ナットからなり、ケース（３２）内に組み付けた状態において、バーリング部が軸受プレート（３３）の逃げ溝（５５）に係合しており、
ケース（３２）内に組み付けた状態において、第１ボルト（３４）用の雌ねじ体（６０）は、ケース（３２）内で回転不能に構成されており、
ケース（３２）内に組み付けた状態において、第２ボルト（３５）用の雌ねじ体（６１）は、ケース（３２）内で回転不能に、且つ前後揺動可能に構成されており、
第１調整穴（４６）および揺動穴（５６）に挿通した第１ボルト（３４）と、第２調整穴（４７）および逃げ溝（５５）に挿通した第２ボルト（３５）とで、軸受プレート（３３）がケース（３２）に対して左右方向へ移動調整可能に、かつ前後方向へ揺動調整可能に締結されており、
軸受プレート（３３）をケース（３２）に対して左右方向へ移動させたとき、両雌ねじ体（６０・６１）がケース（３２）内で左右方向へ移動し、
軸受プレート（３３）をケース（３２）に対して前後方向へ移動させたとき、軸受プレート（３３）および第２ボルト（３５）用の雌ねじ体（６１）が、第１ボルト（３４）用の雌ねじ体（６０）のバーリング部を中心にして前後揺動するように構成されていることを特徴とするピボットヒンジ。
【請求項２】
上側のピボットヒンジ（４）が、ガイドレール（２）で移行案内されるランナー（３）を利用して構成されており、
ランナー（３）は、戸パネル（１）に固定されるブラケット（１２）と、ブラケット（１２）に対してピン（１３）で相対揺動可能に軸支されるアーム（１４）と、アーム（１４）で支持されるランナーブロック（１５）とを含み、
ランナーブロック（１５）は、ガイドレール（２）に装着したストッパー（２２）で移動不能にロック固定して、戸パネル（１）がピン（１３）を中心にして揺動開閉できる請求項１記載のピボットヒンジ。
【請求項３】
ピボット軸受（２８）が、床面に固定されるベース（３１）と、ベース（３１）に固定される角箱状のケース（３２）と、軸受プレート（３３）とを含んで構成されており、
ケース（３２）の開口縁に設けた複数の突起（４５）をベース（３１）に設けた位置決め溝（３７）に係合することにより、ケース（３２）がベース（３１）に位置決めされてビス（６３）で固定されている請求項１または２記載のピボットヒンジ。
【発明の詳細な説明】
【０００１】
【発明の属する技術分野】
本発明は、主として折戸に適用されるピボット軸受、とくに前後および左右方向への位置調整機能を備えているピボット軸受に関する。
【０００２】
【従来の技術】
前後および左右方向への位置調整機能を備えたピボットヒンジは、例えば特開平９−２０９６４１号公報にみられ、建物扉用に設けられている。本発明のピボット軸受は主に折戸に適用されるが、この種のピボットヒンジにおいて、軸受ソケットの左右位置を調整可能とすることは特許第２８４８２６９号公報に公知である。そこでは、床面に固定される固定ベースと、固定ベースに左右移動可能に支持される可動ベースと、可動ベースを任意の調整位置において固定する調整ボルトとで調整機構を構成しており、可動ベースに軸受ソケットが一体に設けられている。
【０００３】
【発明が解決しようとする課題】
上記のように、折戸におけるピボットヒンジは、左右調整機能を備えていれば、上側のピボット軸と下側のピボット軸との中心を折戸パネルの開閉に支障をきたさない程度にまで一致させることができる。しかし、開口枠の経年変化に伴う歪み等によって、上下のピボット軸の中心が前後にずれてしまうと、下側のピボット軸に偏荷重が作用して早期に磨耗し、あるいは異常音を発することがある。こうした場合には、下側のピボット軸受を取り外して位置調整したうえで、再度床やレールに固定する必要があり、調整作業に多くの手間が掛かってしまう。左右調整機能に加えて上下調整機能を付加することは不可能ではないが、折戸の場合には、折戸パネルと床面との間の僅かな隙間にピボット軸受を収める必要があるため、先に挙げた建物扉用のピボットヒンジのような構造をそのまま適用することはできない。
【０００４】
本発明の目的は、前後および左右方向の位置調整機能を備えているピボット軸受、とくに戸パネルと床面との間の僅かな隙間に配置することができる扁平なピボットヒンジを提供することにある。本発明の目的は、戸パネルの調整結果を確認しながら前後および左右調整が簡単に行え、全体構造が簡単で製造に要するコストが少なくて済むピボットヒンジを提供することにある。
【０００５】
【課題を解決するための手段】
本発明のピボットヒンジが適用される戸パネル１は、図２に示すごとくその一側の上下が上下一対のピボットヒンジ４・５で軸支されている。下側のピボットヒンジ５は、図１および図５に示すごとく戸パネル１の下端隅部に設けられるピボット軸２７と、床側に設けられてピボット軸２７を軸支するピボット軸受２８とを備えている。ピボット軸受２８は、扁平なケース３２と、ケース３２内に配置されてピボット軸２７を軸支する軸受プレート３３と、調整用の第１・第２ボルト３４・３５と、ケース３２内に配置されて第１ボルト３４にねじ込まれる第１ボルト３４用の雌ねじ体６０と、ケース３２内に配置されて第２ボルト３５にねじ込まれる第２ボルト３５用の雌ねじ体６１とを含む。ケース３２の上壁４２には、第１ボルト３４の左右移動を許す第１調整穴４６と、第２ボルト３５の前後移動を許す第２調整穴４７と、ピボット軸２７の前後・左右方向の移動を許す調整開口４８とを設ける。軸受プレート３３には、ピボット軸２７を軸支する軸受部５４と、第２ボルト３５との動作干渉を避ける左右方向の逃げ溝５５と、第１ボルト３４が挿通される揺動穴５６とを設ける。第１ボルト３４用の雌ねじ体６０は、板面中央にねじ穴６４が形成されたバーリング部を備える板ナットからなり、ケース３２内に組み付けた状態において、バーリング部が軸受プレート３３の揺動穴５６に嵌まり込んでいる。第２ボルト３５用の雌ねじ体６１は、板面中央にねじ穴６５が形成されたバーリング部を備えるとともに、ビス６３との接当干渉を避けるための切欠６６を備える板ナットからなり、ケース３２内に組み付けた状態において、バーリング部が軸受プレート３３の逃げ溝５５に係合している。ケース３２内に組み付けた状態において、第１ボルト３４用の雌ねじ体６０は、ケース３２内で回転不能に構成する。ケース３２内に組み付けた状態において、第２ボルト３５用の雌ねじ体６１は、ケース３２内で回転不能に、且つ前後揺動可能に構成する。第１調整穴４６および揺動穴５６に挿通した第１ボルト３４と、第２調整穴４７および逃げ溝５５に挿通した第２ボルト３５とで、軸受プレート３３がケース３２に対して左右方向へ移動調整可能に、かつ前後方向へ揺動調整可能に締結されている。軸受プレート３３をケース３２に対して左右方向へ移動させたとき、両雌ねじ体６０・６１がケース３２内で左右方向へ移動し、軸受プレート３３をケース３２に対して前後方向へ移動させたとき、軸受プレート３３および第２ボルト３５用の雌ねじ体６１が、第１ボルト３４用の雌ねじ体６０のバーリング部を中心にして前後揺動するように構成したことを特徴とする。
【０００６】
上側のピボットヒンジ４は、ガイドレール２で移行案内されるランナー３を利用して構成する。そのランナー３は、図３に示すごとく戸パネル１に固定されるブラケット１２と、ブラケット１２に対してピン１３で揺動可能に軸支されるアーム１４と、アーム１４で支持されるランナーブロック１５とを含む。ランナーブロック１５は、ガイドレール２に装着したストッパー２２で移動不能にロック固定して、戸パネル１がピン１３を中心にして揺動開閉できるようになっている。
【０００７】
ピボット軸受２８は、図５に示すごとく床面に固定されるベース３１と、ベース３１に固定される角箱状のケース３２と、軸受プレート３３とを含んで構成さており、ケース３２の開口縁に設けた複数の突起４５をベース３１に設けた位置決め位置決め溝３７に係合することにより、ケース３２がベース３１に位置決めされてビス６３で固定されている。
【０００８】
【発明の作用効果】
本発明では、扁平なケース３２と、その内部に配置される軸受プレート３３、および調整用の第１・第２ボルト３４・３５などでピボット軸受２８を構成し、軸受プレート３３をケース３２の上壁４２に沿って左右方向に移動調整でき、あるいは第１ボルト３４を中心にして前後方向へ揺動調整できる。従って、例えば、戸パネル１を新規に設置する場合や、開口枠の経年変化に伴う歪み等によって、上下のピボット軸の中心が前後・左右にずれたような場合には、調整用の第１・第２ボルト３４・３５を緩めて軸受プレート３３を調整操作するだけで、上下のピボット軸の中心を適正に一致させることができる。その結果、下側のピボット軸２７に偏荷重が作用してこれが早期に磨耗したり、あるいは異常音を発したりするなどの不具合を一掃できる。２個のボルト３４・３５を操作するだけで調整作業が簡単に行え、戸パネル１を吊り込んだ状態のままで、つまり戸パネル１の調整結果を確認しながら前後および左右調整を簡単しかも速やかに行えるので、調整作業に要する手間を軽減できる。軸受プレート３３や、第１・第２ボルト３４・３５、および雌ねじ体６０・６１などは、扁平なケース３２に組み込むので、ピボットヒンジの全体高さを小さくでき、戸パネル１と床面との間の隙間が小さい場合にも支障なく適用できるピボットヒンジを提供できる。従来の調整機能を備えたこの種のピボットヒンジに比べて、全体構造を簡単化して製造コストを削減化できる。
【０００９】
ランナーブロック１５をガイドレール２に装着したストッパー２２で移動不能にロック固定して、戸パネル１を支持するランナー３を上側のピボットヒンジ４として利用すると、専用部品を設ける必要がないので、その分だけ折戸などの構築に要する全体コストを節約でき、ストッパー２２のガイドレール２に対する取り付け姿勢を左右に反転するだけで、右勝手と左勝手に対応できる点でも有利である。
【００１０】
床面に固定されるベース３１と、ベース３１に固定されるケース３２と、軸受プレート３３とでピボット軸受２８を構成し、ベース３１に設けた位置決め溝３７にケース３２の突起４５を係合して位置決めするピボット軸受２８によれば、単純な形状のベース３１を予め位置決めしておくだけでよい。以後は、軸受プレート３３が組まれたケース３２を単にベース３１に係合装着したうえで、ケース３２を床ないしベース３１に固定することによって、ピボットヒンジを適正な位置に適正な姿勢で組み付けることができるので、戸パネル１を新規に設置する場合はもちろんのこと、部屋や収納部のリフォームに付随して戸パネル１を設置する場合などにも、上下のピボットヒンジの位置決めが簡単にしかも適正に行える。
【００１１】
【実施例】
図１ないし図７は本発明に係るピボット軸受をアウトセット型の折戸に適用した実施例を示す。図２において折戸は、ヒンジを介して折り畳み開閉可能に連結された複数個の戸パネル１と、戸パネル１を開閉案内する上側のガイドレール２と、ガイドレール２で移行案内されるランナー３と、戸パネル１の吊元側の上下を揺動可能に軸支する上下一対のピボットヒンジ４・５などで構成されている。符号６は振止具である。この種のアウトセット型の折戸は、開口部の外面に戸パネル１を配置するので、戸パネル１の上下長の制約がなく、部屋やクロゼットのリフォームに適するが、もちろん新築家屋の折戸としても使用できる。
【００１２】
図３において、戸パネル１の重量を負担するガイドレール２はアルミニウム条材からなり、開口周縁壁にビス１１で固定される取付ベース７と、取付ベース７の下端から突設される断面Ｌ字状のレール部８とを備えている。レール部８の外面にはシール体９が装着されており、上端に部分縁弧状のガイド部１０が形成してある。
【００１３】
ランナー３は、戸パネル１に固定される逆Ｌ字状のブラケット１２と、このブラケット１２の上部に固定したピン１３で水平揺動可能に軸支される逆Ｌ字状のアーム１４と、アーム１４に支持されるランナーブロック１５とで構成してある。ランナーブロック１５は角箱状の射出成形品からなり、その外下隅に設けたスライド溝１６が前記ガイド部１０に上方から受け止められている。ランナーブロック１５とアーム１４とは、アーム１４に固定した水平のスプリングピン１７と、ランナーブロック１５に設けた上下に長い溝１８とを介して連結されており、これにより両者１４・１５は相対的に上下動できる。スプリングピン１７とランナーブロック１５との間には、ばね１９を介装してあり、このばね１９でランナーブロック１５が下向きに押し下げ付勢されている。符号２０はランナーブロック１５の下端に設けたロック用の突起である。
【００１４】
戸パネル１の上側のピボットヒンジ４は、吊元側のランナー３を利用して構成する。詳しくは、図４に示すようにガイドレール２の内部に固定したストッパー２２で前記突起２０を受け止めて、吊元側のランナーブロック１５を移動不能にロック固定し、これによりアーム１４を軸支するピン１３をピボット軸に利用している。ストッパー２２は、ダイキャスト成形品からなるホルダー２３と、ホルダー２３で上下動可能に支持したロック軸２４と、ロック軸２４を押し上げ付勢するばね２５とで構成してある。ロック軸２４はロック用の突起２０を受け止めて、ランナー３がガイドレール２に沿ってスライドするのを規制する。ばね２５に抗してロック軸２４を引き下げ操作すると、ランナー３のロック状態を開放でき、突起２０、即ちランナー３は、ホルダー２３から抜け出ることができる。
【００１５】
図５において下側のピボットヒンジ５は、戸パネル１の下端隅部に設けられるピボット軸２７と、床側に設けられてピボット軸２７を軸支するピボット軸受２８とからなる。ピボット軸２７は、戸パネル１に埋設固定したケース２９に組み込まれており、ケース２９の下端に設けた調整ナット３０を操作することにより、上下位置を変更調整できる。
【００１６】
ピボット軸受２８は、床面等に固定される下側のベース３１と、ベース３１の上面に固定されるケース３２と、ケース３２内に配置されてピボット軸２７を軸支する軸受プレート３３と、左右方向および前後方向への位置調整用の第１ボルト３４と第２ボルト３５、それに両ボルト３４・３５にねじ込まれる雌ねじ体６０・６１などで構成する。ベース３１は左右横長の金属板材からなり、その板面にケース３２を差し込み係合するための位置決め溝３７を設け、一方の長辺部寄りの左右にビス穴３９を設けてなる。位置決め溝３７で囲まれる板面の２箇所には、ケース３２を床に締結するためのビス穴４０が形成してある。右勝手と左勝手のいずれの使用形態時にもベース３１を共用するために、２個のビス穴４０は左右対称位置に形成してある。
【００１７】
ケース３２は、横長四角形状の上壁４２と、前後・左右の周側壁４３・４４とを備えて、下向きに開口する角箱状のプレス成形品からなる。前後・左右の周側壁４３・４４の下端縁には、それぞれ位置決め溝３７と係合する突起４５が設けてある。上壁４２には、図５に向かって左側から右側へ向かって、左右横長の第１調整穴４６と、ビス穴６２と、前後に長い第２調整穴４７と、ピボット軸２７の前後・左右方向の移動を許す四角形状の調整開口４８とがそれぞれ設けてある。第１・第２の調整穴４６・４７まわりには、調整方向を示す指標４９・５０をそれぞれ刻設してあり、各指標４９・５０の平行な目盛線によって、調整量が確認できる。なお、ケース３２の前後幅は、戸パネル１の前後厚みと一致させてある。
【００１８】
軸受プレート３３は、図５に示すごとく帯板状の面壁５２と、その右半部の前後縁に連続して折り曲げられた前後脚５３とを一体に形成したプレス成形品からなり、面壁５２にピボット軸２７を軸支する軸受部５４と、左右に長い逃げ溝５５と、第１ボルト３４が挿通される揺動穴５６とが形成してある。面壁５２の揺動穴５６側の端部は、ケース３２との接当干渉を避けるために丸く形成してあり、同様の理由から前後脚５３は面壁５２の端部へ向かって先すぼまり状に形成してある（図７参照）。
【００１９】
第１ボルト３４用の雌ねじ体６０は、板面中央のバーリング部にねじ穴６４を形成した四角形状の板ナットからなり、図１に示すようにケース３２内に組み付けた状態において、バーリング部が軸受プレート３３の揺動穴５６に嵌まり込み、その短辺部がケース３２の前後の周側壁４３・４３で回転不能に受け止められる（図７参照）。第２ボルト３５用の雌ねじ体６１も同様の板ナットで形成するが、その平面形状を横向きのＹ字状に形成して、ねじ穴６５の隣にビス６３との接当干渉を避ける切欠６６が形成してある。この雌ねじ体６１も先の雌ねじ体６０と同様に、前後辺部がケース３２の前後の周側壁４３で回転不能に受け止められるが、前後揺動を許すために前後辺部のそれぞれが丸めてある（図５および図７参照）。雌ねじ体６１のバーリング部は、軸受プレート３３の逃げ溝５５と係合する。
【００２０】
ベース３１、ケース３２および軸受プレート３３の三者は、次のように組む。まず、軸受部５４が調整開口４８に臨む状態で、軸受プレート３３をケース３２内に組み付け、第１ボルト３４を、ケース３２の上面側から第１調整穴４６と揺動穴５６とに挿通して、第１ボルト３４を雌ねじ体６０にねじ込む。同様に、第２ボルト３５を第２調整穴４７と逃げ溝５５に挿通して雌ねじ体６１にねじ込み、軸受プレート３３とケース３２とを一体化しておく。図６に示すように、開口部の縦枠にはＬ字状の入隅部Ｃが形成してあり、この入隅部Ｃにベース３１の隅部を当てがって位置決めし、ビス穴３９を介して床面にねじ込んだビス５８でベース３１を床面に固定する。次にケース３２は、調整開口４８が先の入隅部Ｃ側に位置する状態で、突起４５をベース３１の位置決め溝３７に係合し、床面にベース３１を介してケース３２を位置決めする。最後に、ケース３２のビス穴６２にビス６３を挿通し、ビス６３をベース３１のビス穴４０を介して床にねじ込み、ケース３２を固定する。この後に戸パネル１をガイドレール２に吊り掛けて、ピボット軸２７を軸受部５４に落とし込み、さらに上隅のランナー３をストッパー２２でロックすることにより、戸パネル１を上下のピボットヒンジ４・５で軸支する。
【００２１】
上記のようにベース３１を入隅部Ｃで予め位置決めしておき、軸受プレート３３が組まれたケース３２をベース３１に係合して、ケース３２を位置決めするようにしたピボット軸受２８によれば、ピボット軸受２８の組み立てを少ない手間で簡単に行えるので、その分だけ折戸の施工に要するコストを削減できる。
【００２２】
次に、ピボット軸２７の左右方向および前後方向への位置調整の仕方を説明する。調整時には、戸パネル１を折り畳んで、第１・第２ボルト３４・３５の操作頭部を露出させ、軸受プレート３３を動かせる程度に両ボルト３４・３５を緩める。次に、各指標４８・４９の目盛り線を目安にして、両ボルト３４・３５を左右、あるいは前後に操作してピボット軸２７の中心を移動させる。左右方向へピボット軸２７の中心を移動させた場合には、軸受プレート３３が左右に動くが、この動きは逃げ溝５５によって吸収されるので、第２ボルトが影響されることはない。前後方向へピボット軸２７の中心を移動させる場合には、軸受プレート３３は雌ねじ体６０のバーリング部を中心にして前後揺動するので、第１ボルト３４が影響されることはない。調整が終了したら、両ボルト３４・３５を締め込んで軸受プレート３３を固定する。一連の調整操作は、戸パネル１を吊り込んだ状態のままでも支障なく行える。
【００２３】
上記以外に、ケース３２の開口縁に設けた締結壁をビスで床面に固定することにより、ベース３１は省略することができる。ケース３２はプラスチック成形品としてもよい。ピボット軸受２８は、床面に埋設した状態で使用できる。また、床面に固定したガイドレールで振れ止めを移行案内する場合には、ピボット軸受２８をガイドレールに固定してもよい。上側のピボットヒンジ４は、下側のピボットヒンジ５と同様の、ヒンジとしてのみ使用されるものであってもよい。第１・第２ボルト３４・３５は、図示例に代えて、皿ビスなどの小ねじや、六角穴付ねじなどを適用できる。本発明のピボットヒンジは、折戸以外の戸パネルを支持するためにも使用できる。
【図面の簡単な説明】
【図１】ピボットヒンジの縦断正面図
【図２】折戸の正面図
【図３】ランナーの一部破断側面図
【図４】図３におけるＡ−Ａ線断面図
【図５】ピボットヒンジの分解斜視図
【図６】図１におけるＢ−Ｂ線断面図
【図７】ピボットヒンジの横断平面図
【符号の説明】
１  戸パネル
２  ガイドレール
３  ランナー
４  上側のピボットヒンジ
５  下側のピボットヒンジ
１２  ブラケット
１３  ピン
１４  アーム
１５  ランナーブロック
２２  ストッパー
２７  ピボット軸
２８  ピボット軸受
３１  ベース
３２  ケース
３３  軸受プレート
３４  第１ボルト
３５  第２ボルト
３７  位置決め溝
４２  ケースの上壁
４５  突起
４６  第１調整穴
４７  第２調整穴
５４  軸受部
５５  逃げ溝
５６  揺動穴
６３  ビス
【図１】
0004708609.tif 000002
【図２】
0004708609.tif 000003
【図３】
0004708609.tif 000004
【図４】
0004708609.tif 000005
【図５】
0004708609.tif 000006
【図６】
0004708609.tif 000007
【図７】
0004708609.tif 000008